(57)【特許請求の範囲】
【請求項１】
プリンター装置等に使用するリボンカセットにおいて、
リボンの巻取および収納を行う本体部と、
リボンのガイドを行うリボンガイド部と、
前記本体部に設けられた前記リボンガイド部を勘合するガイドピンとを有し、
前記ガイドピンは、前記本体部の上面、かつ、当該リボンカセットが脱着されるプリンター装置等の印字ヘッドおよび該印字ヘッドが搭載されたキャリアの移動停止エリア外に前記リボンガイド部が装填されるよう配置されているとともに、当該ガイドピンに嵌合されたリボンガイド部を前記本体部の上面平面方向に倒すことよって嵌合が外れるようにその高さが決定されていることを特徴とするリボンカセット。
【発明の詳細な説明】
【０００１】
【発明の属する技術分野】
本発明はプリンター等に使用するリボンカセットに関するものである。
【０００２】
【従来の技術】
従来のプリンター装置類に使用するリボンカセット１と印字部２の関係を図１に示す。リボン３の巻取／収納を行う本体部４とリボン３のガイドとリボン３を印字ヘッド５の手前に容易に手速く確実に手を汚すことなくセットするためのリボンガイド部６とがリボン３を介して連結されている。リボンガイド部６にリボン３が通されている。また、該リボンガイド部６にはセット穴７が左右に２個あり、この穴７を印字ヘッド５を搭載したキャリア８上に設けた右右２個のガイドピン９に挿入することにより、リボン３を印字ヘッド５の先端にワンタッチでセットすることができる。
【０００３】
キャリア８はサポートレール１１で支持され、図示しないモータ、ベルト、プーリ等の公知の駆動手段を介して矢印ｘ１，ｘ２方向に往復移動する。リボンカセット１の本体部４にはスナップフィット爪１０が配設されている。該爪１０の機能については図２を参照して説明する。
【０００４】
従来、リボンカセット１を梱包箱から取出した場合、図２の形態を成す。つまり、前述したスナップフィット爪１０にリボンガイド部６をスナップフィット止めした（仮止め）状態となっている。
【０００５】
この様にリボンカセット１の両サイドアーム１２間のデッドスペースを利用してリボンガイド部６を図２の様に仮止めするメリットとしては、リボンカセット１の梱包箱がコンパクトに設計できることにある。
【０００６】
しかし、その反面、下記問題点がある。
【０００７】
つまり、図２の様な状態で梱包箱から取出したリボンカセット１を図１の様にプリンター装置にセットしようとした場合
（１）リボンガイド部６をリボンカセット１が単品状態では両サイドアーム１２間のデッドスペースを利用して効率的にスナップフィット（仮止め）止めしたにもかかわらず、このままの状態では印字部２の左右方向の移動停止位置によっては印字ヘッド５又はキャリア８等と干渉するため、一旦、本体部４とリボンガイド部６とのスナップ止めを両手で解除し、別々にプリンター装置に搭載する必要があるため、リボンのネジリセットが発生し易く片手操作が困難であ
る。
【０００８】
（２）リボンカセット１を新品と交換する際、プリンター装置等が比較的高い位置に配設されている場合や背たけの低い人が操作する場合前述の爪部１０が両サイドアーム１２間の位置に配設されているため可視性が悪く取外したリボンガイド部６を再びこの爪部１０にスナップフィット止めさせ、片手操作でリボ
ンカセットの交換をすることが困難である。
【０００９】
【発明が解決しようとする課題】
本発明は従来技術の問題点を解決し、片手操作にて容易にリボンカセットの着脱、リボンガイド部の着脱が行えるリボンカセットを提供するものである。
【００１０】
【課題を解決するための手段】
本発明はリボンガイド部６をアーム１２の間に配設することを止め、リボンガイド部６を本体部４の上面に配設した。
【００１１】
これにより、リボンカセット１およびリボンガイド部６をプリンター装置等に着脱する際、印字ヘッド５およびキャリア８の移動停止エリアからリボンガイド部６を外すことができるため、印字ヘッド５およびキャリア８の停止位置を意識することなく容易に片手で着脱することができ、操作性の改善を行うことができる。
【００１２】
また、背たけの低い人のリボンカセット交換に対してもリボンガイド部６をリボンカセット１の本体部４の上面に配設したことにより、可視性が改善されたため操作性が良く使い勝手が向上できる。
【００１３】
【発明の実施の形態】
以下、本発明の実施例について図面を参照して詳細に説明する。図３は本発明によるリボンカセット１ａの斜視図である。（梱包箱から取出した状態）
リボンガイド部６はリボンカセット１ａの本体部４の上面に配設され、位置決め穴７が本体部４の上面に配設されたガイドピン１３に入った状態で位置決めされている。ガイドピン１３とリボンガイド部６の位置決め穴７のかん合は図３の状態を逆にしてもリボンガイド部６が自由落下することのない程度のかん合公差である。リボンガイド部６は片手で矢印ｘ１又はｘ２方向に軽く倒すことにより容易にガイドピン１３から位置決め穴７のかん合を外すことができる様にガイドピン１３のピン高さが決定されている。図４にガイドピン１３形状とリボンガイド部６のガイドピン１３へのセット図を示す。
【００１４】
次に本発明のリボンカセット１ａをプリンター装置で着脱する操作について図５を参照して説明する。まず、装着から説明する。
【００１５】
新品の本発明のリボンカセット１ａを梱包箱から取出すと図３記載の形態を成している。この状態のリボンカセット１ａの本体部４を片手で持ち、図５（ａ）に記載の様にリボンカセット１ａのセット位置に置く。
【００１６】
次にリボンガイド部６を矢印ｘ１方向に片手で軽く倒すことにより図６に記載の様にガイドピン１３からリボンガイド部６を外すことができる。（リボンガイド部６を片手でつまんだ状態となる）
次に印字ヘッド５を搭載したキャリア８上の位置決めピン９（右右２″）にリボンガイド部６の位置決め穴７を挿入し、リボンガイド部６を矢印Ｐ１方向に完全に降下させ、リボンカセット１ａのリボンノブ５０を所定方向に回してリボン３のたるみ取りをしてリボンカセット１ａの装着を終了する。
【００１７】
次に上記で装着したリボンカセット１ａの取外しについて説明する。基本的に取外しは装着の逆手順となる。
【００１８】
まず、図５（ａ）において、リボンガイド部６を片手でつまみ、矢印Ｐ２方向に持上げる。これにより図５（ｂ）に詳細を記した位置決めピン９とリボンガイド部６の位置決め穴７とのはめ合いが外れ、図６の状態となる。片手でリボンガイド部６をつまんだこの状態で図４記載の様にガイドピン１３にリボンガイド部６の位置決め穴７を挿入することにより図３記載状態となる。
【００１９】
この状態でリボンカセット１ａの本体部４を片手でＰ２方向に持ち上げることにより、リボンカセット１ａ上にリボンガイド部６が搭載された状態で容易に取外すことができる。
【００２０】
【発明の効果】
以上、説明した様に本発明によれば、従来技術の問題点を解決し、片手操作により容易にリボンカセットの着脱、リボンガイド部の着脱が行える。また、リボンカセット本体部の上面にリボンガイド部を配設したことにより着脱用の基準となるガイドピン位置の可視性が改善されたため背たけの低い人にも使い勝手の向上を図ることができる。
【図面の簡単な説明】
【図１】従来のプリンター装置類に使用するリボンカセットと印字部との関係を説明するための斜視図。
【図２】従来のリボンカセットの斜視図。
【図３】本発明によるリボンカセットの斜視図。
【図４】本発明によるリボンカセットのリボンガイド部とこのリボンガイド部を仮固定するガイドピンとの関係を説明する斜視図。
【図５】本発明によるリボンカセットをプリンター装置類に着脱する動作説明用斜視図。
【図６】本発明によるリボンカセット本体からリボンガイド部を切離した斜視図。
【符号の説明】
１…従来のリボンカセット、      １ａ…本発明によるリボンカセット、
２…印字部、                    ３…リボン、
４…リボンカセット本体部、      ５…印字ヘッド、
６…リボンガイド部、            ７…位置決め穴、
８…キャリア、                  ９…ガイドピン、
１０…スナップフィット爪、      １１…サポートレール、
１２…アーム、                  １３…ガイドピン、
５０…リボンノブ。
【図１】
0003613001.tif 000002
【図２】
0003613001.tif 000003
【図３】
0003613001.tif 000004
【図４】
0003613001.tif 000005
【図５】
0003613001.tif 000006
【図６】
0003613001.tif 000007